(57)【要約】【課題】本発明は、電子透かし情報や、その他の相当情報に、違法に配信または記録されたコンテンツデータであることを検出できる情報を付加するようにして、違法なコンテンツの記録や再生を防止する。【解決手段】２種類のＷＭ（Ｗａｔｅｒｍａｒｋ）データとしてＷＭ１データとＷＭ２データを用意し、ＷＭ１データには、パッケージメディアデータか配信用データかを設定し、ＳＣＭＳ情報を設定し、ディスクメディアか半導体メモリメディアかを設定し、更にそのディスクメディアの種類及び半導体メモリメディアの種類を設定し、ＷＭ２データには、配信時刻あるいは記録時刻を示す時刻情報として年月日を設定し、データ再生装置１では、ＷＭ１データ及びＷＭ２データに基づいて、著作権者の意図に応じて最適な再生制御を実行するようにした。【選択図】　　図１
2004005876.tif 000002
【特許請求の範囲】
【請求項１】
放送するコンテンツデータに電子透かし情報を付加する電子透かし情報付加手段を有し、前記電子透かし情報付加手段は、前記コンテンツデータを受信した端末が記録可能なコンテンツデータか否かを判断するために、前記コンテンツデータの放送時刻を示す時間情報を電子透かし情報として前記コンテンツデータに付加することを特徴とする電子透かし情報付加装置。
【請求項２】
放送するコンテンツデータに電子透かし情報を付加する電子透かし情報付加手段を有し、前記電子透かし情報付加手段は、前記コンテンツデータがネットワークを介して再配信された場合に、これを受信した端末が受信したコンテンツが記録が許可されたコンテンツデータか、若しくは正規のコンテンツデータか否かを判断できるようにするために、前記コンテンツデータの放送時刻を示す時間情報を電子透かし情報として前記コンテンツデータに付加することを特徴とする電子透かし情報付加装置。
【請求項３】
前記電子透かし情報付加手段は、著作権を主張するコンテンツであることを示す電子透かし情報を前記コンテンツデータに付加することを特徴とする請求項１又は２に記載の電子透かし情報付加装置。
【請求項４】
前記電子透かし情報付加手段は、放送するコンテンツデータが通信回線を介して配信されることを許可されているか否かを示す電子透かし情報を付加する請求項１〜３の何れか一項に記載の電子透かし情報付加装置。
【請求項５】
記録媒体に記録されているコンテンツデータを再生するデータ再生装置において、
前記記録媒体に時間情報が付加されているか否かを判別する時間情報有無判別手段と、
前記記録媒体が読み出し専用の記録媒体であるか記録可能記録媒体であるかを判別する記録媒体種別判別手段と、
現在時刻を計時する計時手段と、
前記計時手段で計時された時間情報を再生されるコンテンツデータに付加する時間情報付加手段と、
コンテンツデータを出力する出力手段と、を備え、
前記時間情報有無判別手段が時間情報が記録されていないと判別し、前記記録媒体種別判別手段が読み出し専用の記録媒体であると判別した場合、再生されるコンテンツデータに前記計時手段で計時された時間情報を付加して前記出力手段からコンテンツデータを出力することを特徴とするデータ再生装置。
【請求項６】
前記コンテンツデータに著作権を主張することを示す情報又はその他の相当情報が付加されているか否かを判別する著作権主張情報判別手段を備え、
前記時間情報有無判別手段が時間情報が記録されていないと判別し、前記記録媒体種別判別手段が読み出し専用の記録媒体であると判別し、前記著作権主張情報判別手段が著作権を主張することを示す情報が付加されていないと判別した場合、再生されるコンテンツデータに時間情報を付加せず前記出力手段からコンテンツデータを出力することを特徴とする請求項５に記載のデータ再生装置。
【請求項７】
前記時間情報有無判別手段が時間情報が記録されていないと判別し、前記記録媒体種別判別手段が記録可能記録媒体であると判別した場合、再生されるコンテンツデータに時間情報を付加せず前記出力手段からコンテンツデータを出力することを特徴とする請求項５に記載のデータ再生装置。
【請求項８】
前記コンテンツデータに著作権を主張することを示す情報又はその他の相当情報が付加されているか否かを判別する著作権主張情報判別手段を備え、
前記時間情報有無判別手段が時間情報が記録されていないと判別し、前記記録媒体種別判別手段が読み出し専用の記録媒体であると判別し、前記著作権主張情報判別手段が著作権を主張することを示す情報又はその他の相当情報が付加されていると判別した場合、再生されるコンテンツデータに前記計時手段で計時された時間情報を付加して前記出力手段からコンテンツデータを出力することを特徴とする請求項５に記載のデータ再生装置。
【請求項９】
前記コンテンツデータに著作権を主張することを示す情報又はその他の相当情報が付加されているか否かを判別する著作権主張情報判別手段を備え、
前記時間情報有無判別手段が時間情報が記録されていないと判別し、前記記録媒体種別判別手段が記録可能記録媒体であると判別し、前記著作権主張情報判別手段が著作権を主張することを示す情報が付加されていると判別した場合、コンテンツデータの再生を禁止することを特徴とする請求項５に記載のデータ再生装置。
【請求項１０】
前記コンテンツデータに著作権を主張することを示す情報又はその他の相当情報が付加されているか否かを判別する著作権主張情報判別手段を備え、
前記時間情報有無判別手段が時間情報が記録されていないと判別し、前記記録媒体種別判別手段が記録可能記録媒体であると判別し、前記著作権主張情報判別手段が著作権を主張することを示す情報が付加されていないと判別した場合、再生されるコンテンツデータに時間情報を付加せず前記出力手段からコンテンツデータを出力することを特徴とする請求項５に記載のデータ再生装置。
【請求項１１】
前記時間情報有無判別手段が時間情報が記録されていると判別した場合、再生されるコンテンツデータに時間情報を付加せず前記出力手段からコンテンツデータを出力することを特徴とする請求項５に記載のデータ再生装置。
【請求項１２】
前記時間情報が電子透かし情報として付加されることを特徴とする請求項５〜１１の何れか一項に記載のデータ再生装置。
【請求項１３】
前記著作権を主張することを示す情報又はその他の相当情報が電子透かし情報として付加されることを特徴とする請求項５〜１１の何れか一項に記載のデータ再生装置。
【請求項１４】
前記計時手段は、年、月、日を計時し、前記時刻情報は、年、月、日のみを含むことを特徴とする請求項５記載のデータ再生装置。
【請求項１５】
前記時間情報付加手段は、前記年、月、日を日、月、年の順に前記再生されるコンテンツデータに付加することを特徴とする請求項５記載のデータ再生装置。
【請求項１６】
前記計時手段は、前記計時時刻の設定可能回数に制限を設けたものであることを特徴とする請求項５記載のデータ再生装置。
【請求項１７】
入力されるコンテンツデータを記録するデータ記録装置において、
前記コンテンツデータに付加されている時間情報を識別する時間情報識別手段と、
現在時刻を計時する計時手段と、
前記コンテンツデータを記録媒体に記録する記録手段と、を備え、
前記コンテンツデータに時間情報が付加されていると判別され、前記時間情報識別手段で識別された時間情報と、前記計時手段が計時する現在時刻とが所定の範囲内で一致する場合、入力されるコンテンツデータを前記記録媒体に記録することを特徴とするデータ記録装置。
【請求項１８】
前記コンテンツデータに時間情報が付加されていると判別され識別された時間情報と前記計時手段が計時する現在時刻とが所定の範囲内で一致しない場合、入力されるコンテンツデータを前記記録媒体に記録を禁止することを特徴とする請求項１７に記載のデータ記録装置。
【請求項１９】
前記コンテンツデータに著作権を主張することを示す情報又はその他の相当情報が付加されているか否かを判別する著作権主張情報判別手段を備え、
前記コンテンツデータに時間情報が付加されていないと判別され、前記コンテンツデータに著作権を主張することを示す情報又はその他の相当情報が付加されていると判別された場合、入力されるコンテンツデータの前記記録媒体への記録を禁止することを特徴とする請求項１７に記載のデータ記録装置。
【請求項２０】
前記コンテンツデータに著作権を主張することを示す情報又はその他の相当情報が付加されているか否かを判別する著作権主張情報判別手段を備え、
前記コンテンツデータに時間情報が付加されていないと判別され、前記コンテンツデータに著作権を主張することを示す情報又はその他の相当情報が付加されていないと判別された場合、入力されるコンテンツデータを前記記録媒体に記録することを特徴とする請求項１７に記載のデータ記録装置。
【請求項２１】
前記時間情報が電子透かし情報として付加されることを特徴とする請求項１７〜２０の何れか一項に記載のデータ記録装置。
【請求項２２】
前記著作権を主張することを示す情報又はその他の相当情報が電子透かし情報として付加されることを特徴とする請求項１７〜２０の何れか一項に記載のデータ記録装置。
【請求項２３】
前記計時手段は、前記データ記録装置の製造時にのみ計時時刻を設定可能に構成したことを特徴とする請求項１７に記載のデータ記録装置。
【請求項２４】
前記計時手段は、年、月、日を計時し、前記時刻情報は、年、月、日のみを含むことを特徴とする請求項１７に記載のデータ記録装置。
【請求項２５】
前記計時手段は、前記計時時刻の設定可能回数に制限を設けたものであることを特徴とする請求項１７に記載のデータ記録装置。
【発明の詳細な説明】
【０００１】
【発明の属する技術分野】
本発明は、コンテンツデータに電子透かし情報を付加する電子透かし情報付加装置、コンテンツデータを再生するデータ再生装置及びコンテンツデータを記録するデータ記録装置に関する。
【０００２】
【従来の技術】
近年、音楽や画像、文書等のコンテンツがデジタルデータとして流通するようになり、ＥＭＤ（Ｅｌｅｃｔｒｏｎｉｃ　Ｍｕｓｉｃ　Ｄｉｓｔｒｉｂｕｔｉｏｎ：デジタル音楽配信）と呼ばれるサービスも開始されている。これに伴って、コンテンツデータの著作権の保護が重要な課題となり、様々な手法が提案されている。
【０００３】
ＣＤ等に用いられる著作権管理手法として、ＳＣＭＳ（Ｓｅｒｉａｌ　Ｃｏｐｙ　Ｍａｎａｇｅｍｅｎｔ　Ｓｙｓｔｅｍ）を挙げて説明すると、パッケージ販売されるＣＤ（Ｃｏｍｐａｃｔ　Ｄｉｓｋ）に記録されたデジタル音楽データには、ＳＣＭＳ情報と呼ばれるデータが付加されていた。このＳＣＭＳ情報は、デジタルデータとしての複製を制限する情報であり、主に一世代に限って複製を許諾するものであった。そして、デジタル音楽データを再生・記録可能なオーディオ機器により、デジタル音楽データをＣＤからＭＤ（Ｍｉｎｉ　Ｄｉｓｋ）へ複製する場合には、一世代に限ってデジタルコピーが可能であり、二世代以上のデジタルコピーは記録できないようにすることが、コンテンツ提供側から要求されていた。
また更には、「Ｄｉｇｉｔａｌ　Ｗａｔｅｒ　Ｍａｒｋ（電子透かし）」と呼ばれる技術を用い、コンテンツデータに特定のデータを付加する手法があった。これはコンテンツの信号そのものの中に、著作権に関する情報を記録する方法で、それを取り除くことが極めて困難であり、改ざんされ難いという点で、著作権情報の記録に向いている。
【０００４】
しかしながら、最近では、デジタルコンテンツデータがパーソナルコンピュータによって処理されるようになり、ＳＣＭＳ情報ごとコンテンツデータが複製されてしまうことがあった。このような場合、ＳＣＭＳ情報は常に一世代の複製を許諾する状態となってしまい、実質的に、複製を制限することができないという問題があった。
【０００５】
そこで、ＳＣＭＳ情報のような著作権情報が電子透かし技術を用いて付加される場合、電子透かしデータを、デジタルコピー毎に書き換える手法が提案されている。しかしながら、現状提案されている方式では、ネットワーク上で違法配信されたコンテンツデータであるかどうかの検出が不可能であるという問題があった。
【０００６】
また、コンテンツデータを暗号化して認証することにより、コンテンツデータの違法利用を防止する方式もあるが、暗号化を解かれたコンテンツデータがネットワーク配信された場合、その違法配信を防止する手段はなかった。
【０００７】
また、コンテンツを提供するコンテンツ産業側は、デジタル環境では違法コピーが無制限に繰り返されて、コピーされたコンテンツが急速に配布される可能性があると懸念しているため、著作権保護技術の早急な整備を要望している。
著作権保護技術が整備されないと、コンテンツビジネスが成り立たなくなる可能性があり、違法配信の典型的な例としては、インターネットを利用したコンテンツの違法配信がある。
【０００８】
しかし、一方、ユーザーの利便性を考慮すると、一度購入したコンテンツは、家庭内、又は個人使用に関しては、コピーを許容しても良いという考えもあり、例えば、放送により配信されるコンテンツについては、有料放送の視聴を考慮してタイムシフトの記録は許容する考えがある。
【０００９】
すなわち、コンテンツビジネスにおいて必要な著作保護技術では、違法配信は抑制したいが、私的な利用の制限は許容したいという、相反する機能が必要となり、これらの機能を解決する技術は提案されていなかった。
【００１０】
現状では、誰かが、ホームページに著作権者がコピー制限したいと考えているコンテンツをアップロードした場合、これをダウンロードした人は自由にＣＤ−Ｒ（Ｃｏｍｐａｃｔ　Ｄｉｓｋ　Ｒｅｃｏｒｄａｂｌｅ）に録音可能である。この録音したコンテンツは自由に再生、録音が出来、世界中でそのコピーが無料で使用可能である。
【００１１】
つまり、インターネットを使ってホームページからコンテンツをダウンロード出来ると、大量の違法コピーが氾濫することになり、コンテンツビジネスが成り立たなくなる。
【００１２】
現状でこれが防止出来ない理由は、ネットワークを通して録音されたコンテンツデータと、従来から認められていた個人が再生装置から直接録音装置に第一世代だけの録音データとが区別出来ない為であった。つまりネットワーク配信を防止しようとすると、個人の正規な録音そのままでも禁止せざるを得なかった。
【００１３】
【発明が解決しようとする課題】
本発明の課題は、情報等を元に、第一世代の録音データの検出とともに、これまで不可能であったネットワークによって配信されたコンテンツであることを検出可能にして、違法なコンテンツの記録や違法にコンテンツの配信をすることを防止可能にして、著作権者側の意図に応じたコンテンツデータの利用環境を提供することである。
【００１４】
【課題を解決するための手段】
上記課題を解決するため、請求項１記載の発明の電子透かし情報付加装置は、放送するコンテンツデータに電子透かし情報を付加する電子透かし情報付加手段を有し、前記電子透かし情報付加手段は、前記コンテンツデータを受信した端末が記録可能なコンテンツデータか否かを判断するために、前記コンテンツデータの放送時刻を示す時間情報を電子透かし情報として前記コンテンツデータに付加することを特徴としている。
【００１５】
また、請求項２記載の発明の電子透かし情報付加装置は、放送するコンテンツデータに電子透かし情報を付加する電子透かし情報付加手段を有し、前記電子透かし情報付加手段は、前記コンテンツデータがネットワークを介して再配信された場合に、これを受信した端末が受信したコンテンツが記録が許可されたコンテンツデータか、若しくは正規のコンテンツか否かを判断できるようにするために、前記コンテンツデータの放送時刻を示す時間情報を電子透かし情報として前記コンテンツデータに付加することを特徴としている。
【００１６】
更に、請求項３記載の発明の電子透かし情報付加装置において、前記電子透かし情報付加手段は、著作権を主張するコンテンツであることを示す電子透かし情報を前記コンテンツデータに付加することことが効果的である。
【００１７】
更に、請求項４記載の発明の電子透かし情報付加装置において、前記電子透かし情報付加手段は、放送するコンテンツデータが通信回線を介して配信されることを許可されているか否かを示す電子透かし情報を付加することが効果的である。
【００１８】
更に、請求項５記載の発明は、記録媒体に記録されているコンテンツデータを再生するデータ再生装置において、前記記録媒体に時間情報が付加されているか否かを判別する時間情報有無判別手段と、前記記録媒体が読み出し専用の記録媒体であるか記録可能記録媒体であるかを判別する記録媒体種別判別手段と、現在時刻を計時する計時手段と、前記計時手段で計時された時間情報を再生されるコンテンツデータに付加する時間情報付加手段と、コンテンツデータを出力する出力手段と、を備え、前記時間情報有無判別手段が時間情報が記録されていないと判別し、前記記録媒体種別判別手段が読み出し専用の記録媒体であると判別した場合、再生されるコンテンツデータに前記計時手段で計時された時間情報を付加して前記出力手段からコンテンツデータを出力することを特徴としている。
【００１９】
更に、請求項６記載の発明のデータ再生装置において、前記コンテンツデータに著作権を主張することを示す情報又はその他の相当情報が付加されているか否かを判別する著作権主張情報判別手段を備え、前記時間情報有無判別手段が時間情報が記録されていないと判別し、前記記録媒体種別判別手段が読み出し専用の記録媒体であると判別し、前記著作権主張情報判別手段が著作権を主張することを示す情報がないと判別した場合、録音や再生の制限の無いコピーフリーのコンテンツと解釈出来るので、再生されるコンテンツデータに時間情報を付加せず前記出力手段からコンテンツデータを出力することが効果的である。
【００２０】
更に、請求項７記載の発明のデータ再生装置において、前記時間情報有無判別手段が時間情報が記録されていないと判別し、前記記録媒体種別判別手段が記録可能記録媒体であると判別した場合、従来から流通しているコンテンツと解釈出来るので、コンパチビリティを得る為に再生されるコンテンツデータに時間情報を付加せず前記出力手段からコンテンツデータを出力することが効果的である。
【００２１】
更に、請求項８記載の発明のデータ再生装置において、前記コンテンツデータに著作権を主張することを示す情報又はその他の相当情報が付加されているか否かを判別する著作権主張情報判別手段を備え、前記時間情報有無判別手段が時間情報が記録されていないと判別し、前記記録媒体種別判別手段が読み出し専用の記録媒体であると判別し、前記著作権主張情報判別手段が著作権を主張することを示す情報又はその他の相当情報が付加されていると判別した場合、著作権保護を要求する市販のディスクと判断されるので、再生されるコンテンツデータに前記計時手段で計時された時間情報を付加して前記出力手段からコンテンツデータを出力することが効果的である。
【００２２】
更に、請求項９記載の発明のデータ再生装置において、前記コンテンツデータに著作権を主張することを示す情報又はその他の相当情報が付加されているか否かを判別する著作権主張情報判別手段を備え、前記時間情報有無判別手段が時間情報が記録されていないと判別し、前記記録媒体種別判別手段が記録可能記録媒体であると判別し、前記著作権主張情報判別手段が著作権を主張することを示す情報が付加されていると判別した場合、本発明によるコンテンツ保護システムに対応しない装置で録音されたコンテンツであるので、コンテンツデータの再生を禁止することが効果的である。
【００２３】
更に、請求項１０記載の発明のデータ再生装置において、前記コンテンツデータに著作権を主張することを示す情報又はその他の相当情報が付加されているか否かを判別する著作権主張情報判別手段を備え、前記時間情報有無判別手段が時間情報が記録されていないと判別し、前記記録媒体種別判別手段が記録可能記録媒体であると判別し、前記著作権主張情報判別手段が著作権を主張することを示す情報が付加されていなてと判別した場合、コピー制限の無いコンテンツが録音されたものを再生していると判断出来るので、再生されるコンテンツデータに時間情報を付加せず前記出力手段からコンテンツデータを出力することが効果的である。
【００２４】
更に、請求項１１記載の発明のデータ再生装置において、前記時間情報有無判別手段が時間情報が記録されていると判別した場合、既に一度録音されたコンテンツを再生することになると解釈出来るので、この場合は再生されるコンテンツデータには新たな時間情報は付加せず、ディスクに記録されている時間情報をそのまま残して前記出力手段からコンテンツデータを出力することが効果的である。
【００２５】
更に、請求項１２記載の発明のデータ再生装置において、前記時間情報が電子透かし情報として付加されると改竄が困難になり効果的である。
【００２６】
更に、請求項１３記載の発明のデータ再生装置において、前記著作権を主張することを示す情報又はその他の相当情報が電子透かし情報として付加されることが効果的である。
【００２７】
更に、請求項１４記載の発明のデータ再生装置において、前記計時手段は、年、月、日を計時し、前記時刻情報は、年、月、日のみを含むことが効果的である。
【００２８】
更に、請求項１５記載の発明のデータ再生装置において、前記時間情報付加手段は、前記年、月、日を日、月、年の順に前記再生されるコンテンツデータに付加することが効果的である。
これは電子透かし情報の読取には数秒程度かかる場合も有るので、時刻データを日、月、年の単位で分割し、更に短い期間のデータを先に記録することによって、検出までの時間を少しでも少なくすることを目的としたものである。一般的に日付が異なる場合、日が異なる場合が確率的にも、現実の運用上も最も多いと考えられるので、このデータから比較すると結論が速く出せる。
【００２９】
更に、請求項１６記載の発明のデータ再生装置において、前記計時手段は、前記計時時刻の設定可能回数に制限を設けることが効果的である。
【００３０】
更に、請求項１７記載の発明は、入力されるコンテンツデータを記録するデータ記録装置において、前記コンテンツデータに付加されている時間情報を識別する時間情報識別手段と、現在時刻を計時する計時手段と、前記コンテンツデータを記録媒体に記録する記録手段と、を備え、前記コンテンツデータに時間情報が付加されていると判別され、前記時間情報識別手段で識別された時間情報と、前記計時手段が計時する現在時刻とが所定の範囲内で一致する場合、入力されるコンテンツデータが現在再生されているもので、尚且つ一度もコピーされたことの無いコンテンツと解釈出来るので、これを前記記録媒体に記録することを特徴としている。
【００３１】
更に、請求項１８記載の発明のデータ記録装置において、前記コンテンツデータに時間情報が付加されていると判別され識別された時間情報と前記計時手段が計時する現在時刻とが所定の範囲内で一致しない場合、入力されるコンテンツデータが既に一度録音されたコンテンツかネットワーク配信されたコンテンツであると判断出来るので、この入力データを記録媒体に記録を禁止することが効果的である。
【００３２】
更に、請求項１９記載の発明のデータ記録装置において、前記コンテンツデータに著作権を主張することを示す情報又はその他の相当情報が付加されているか否かを判別する著作権主張情報判別手段を備え、前記コンテンツデータに時間情報が付加されていないと判別され、前記コンテンツデータに著作権を主張することを示す情報又はその他の相当情報が付加されていると判別された場合、入力されるコンテンツデータは本発明による著作権保護システムに対応しない装置で録音されたか、再生されていると解釈出来るので、前記記録媒体への記録を禁止することが効果的である。
【００３３】
更に、請求項２０記載の発明のデータ記録装置において、前記コンテンツデータに著作権を主張することを示す情報又はその他の相当情報が付加されているか否かを判別する著作権主張情報判別手段を備え、前記コンテンツデータに時間情報が付加されていないと判別され、前記コンテンツデータに著作権を主張することを示す情報又はその他の相当情報が付加されていないと判別された場合、入力されるコンテンツデータはコピー制限をする必要の無いコンテンツと解釈出来るので、前記記録媒体に記録することが効果的である。
【００３４】
更に、請求項２１記載の発明のデータ記録装置において、前記時間情報を改竄が困難な電子透かし情報として付加されることが効果的である。
【００３５】
更に、請求項２２記載の発明のデータ記録装置において、前記著作権を主張することを示す情報又はその他の相当情報を改竄が困難な電子透かし情報として付加されることが効果的である。
【００３６】
更に、請求項２３記載の発明のデータ記録装置において、前記計時手段は、前記データ記録装置の製造時にのみ計時時刻を設定可能に構成したことが効果的である。
【００３７】
更に、請求項２４記載の発明のデータ記録装置において、前記計時手段は、年、月、日を計時し、前記時刻情報は、年、月、日のみを含むことが効果的である。
【００３８】
更に、請求項２５記載の発明のデータ記録装置において、前記計時手段は、前記計時時刻の設定可能回数に制限を設けることが効果的である。
【００３９】
【発明の実施の形態】
以下、図を参照して本発明の実施の形態を詳細に説明する。
なお、以下の実施の形態において、ＷＭデータは、請求項に記載の電子透かし情報に対応する。
【００４０】
図１〜図５は、本発明を適用したデータ再生装置とデータ録音装置の一実施の形態を示す図である。
まず、構成を説明する。
図１は、本実施の形態におけるデータ再生装置１の機能的構成を示す図であり、図２は、本実施の形態におけるデータ録音装置２の機能的構成を示す図である。
【００４１】
データ再生装置１は、ＣＤ（Ｃｏｍｐａｃｔ　Ｄｉｓｋ）やＤＶＤ（Ｄｉｇｉｔａｌ　Ｖｅｒｓａｔｉｌｅ　Ｄｉｓｃ）等のディスクメディア、あるいは、半導体メモリを内蔵する半導体メモリメディアを駆動し、これらの各種メディアに記録されたデータを読み取る装置である。また、データ録音装置２は、上記各種メディアに対してデータを記録する装置である。なお、上記データ再生装置１およびデータ録音装置２において利用可能なメディアは特に限定されるものではなく、上記メディアに類するもの、および、今後実用化されるものについても勿論適用可能である。
【００４２】
ここで、本実施の形態において再生及び記録されるデータについて説明する。
本実施の形態では、コンテンツデータとしてデジタル音楽データを再生および記録する例について説明する。従来から、パッケージ販売されるＣＤに記録されたデジタル音楽データには、ＳＣＭＳ（Ｓｅｒｉａｌ　Ｃｏｐｙ　Ｍａｎａｇｅｍｅｎｔ　Ｓｙｓｔｅｍ）と呼ばれるデータが付加されている。ここで、ＳＣＭＳ情報の構成を表１に示す。
【表１】
2004005876.tif 000003
【００４３】
上記表１に示すように、ＳＣＭＳ情報は２ビットで構成されており、デジタル音楽データの複製に関して、３通りの制限を示している。
たとえば、ＳＣＭＳ情報「００」は、「Ｃｏｐｙ　Ｆｒｅｅ」すなわち複製について制限がないことを示している。また、ＳＣＭＳ情報「１０」は、「Ｏｎｅ　ＧｅｎｅｒａｔｉｏｎＣｏｐｙ　Ｐｅｒｍｉｔｔｅｄ」すなわち一世代の複製のみ許諾されていることを示し、ＳＣＭＳ情報「１１」は、「Ｎｏ　Ｍｏｒｅ　Ｃｏｐｙ」すなわち複製が禁止されていることを示している。
【００４４】
従って、デジタル音楽データにＳＣＭＳ情報「１０」が付加されている場合、そのデジタル音楽データは、一世代に限り、デジタルデータとして複製することが可能である。たとえば、パッケージ販売されているＣＤを購入したユーザが、このＣＤに記録されたデジタル音楽データをＣＤ−ＲやＣＤ−ＲＷ等のディスクメディアや、半導体メモリメディアに記録することは可能であるが、そのディスクメディアや半導体メモリメディアから、さらに他のメディアにデジタル音楽データをデジタルコピーすることは許諾されていない。
【００４５】
また、パッケージ販売されているＣＤに記録されたデジタル音楽データには、著作権を主張する電子データが信号ビット列の中の１ビットの著作権情報ビットで付加されているが、これを改竄が困難な電子透かし情報として特定のデータを挿入することで表示することも可能である。ＣＤの場合、ＳＣＭＳの情報の「００」に対応する状態は、この著作権情報の１ビットが「１」に対応していて、「１０」に対応する状態は、この著作権ビットが「０」の状態に対応する。
【００４６】
また、ＳＣＭＳの「１１」に対応する状態は、この著作権情報の１ビットがおおよそ１秒の周期で１と０が交互に出てくる状態で対応している。
このように複雑な構造になったのは、元々ＳＣＭＳの考え方がＣＤが発売された後、デジタル録音装置ＤＡＴが市場に投入される時点で決められたせいである。
ＤＡＴの場合は、最初から著作権情報として２ビットが割り当てられていたので、ＳＣＭＳ本来のビット構造をとっている。つまり、ＳＣＭＳの情報には著作権を主張する情報とコピー世代を示す情報の双方が含まれている。
【００４７】
同様に、デジタル音楽データにＳＣＭＳ情報「００」が付加されている場合、そのデジタル音楽データは自由にデジタルコピーすることが許諾されているコンテンツを示し、デジタル音楽データにＳＣＭＳ情報「１１」が付加されている場合、そのデジタル音楽データは既に一回コピーされたコンテンツを示し、更なるデジタルコピーは許諾されていないコンテンツを示す。なお、現在市販されているデジタル音楽データのデジタルコピーが可能な機器は、概ねＳＣＭＳ情報の制限に準じた動作を行うものとなっている。
【００４８】
さらに、本実施の形態では、配信、再生、及び記録されるデジタル音楽データに記録されているＷＭ（Ｗａｔｅｒｍａｒｋ）は、Ｎビットのデータが２種類埋め込まれているものとする。このＮビットのデータを、以下、「ＷＭ１データ、ＷＭ２データ」と呼称し、その構成を表２，３に示す。
【表２】
2004005876.tif 000004
【００４９】
表２に示すように、８ビットで構成されるＷＭ１データは、先頭から「第１ビット」と、「第２，第３ビット」と、「第４ビット」と、「第５〜第８ビット」とに、データ内容を分けて識別するように構成されている。
第１ビットは、ＷＭ１データが埋め込まれたデジタル音楽データが、ＣＤ等店頭に並べられてパッケージ販売されるパッケージメディアのデータか、或いは、ＥＭＤ（Ｅｌｅｃｔｒｏｎｉｃ　Ｍｕｓｉｃ　Ｄｉｓｔｒｉｂｕｔｉｏｎ）サービス等で配信される配信用のデータであるかを示す。具体的には、第１ビットが「０」であれば、該埋込データが埋め込まれたデジタル音楽データはパッケージメディアのデータであり、第１ビットが「１」であれば、該埋込データが埋め込まれたデジタル音楽データは配信用のデータである。
【００５０】
なお、ここで配信用のデータとは、ＥＭＤ等で配信されることが許可された正規に作成されたデジタル音楽データであり、正規に認証された配信装置によって、通常のデジタル音楽データにＷＭ１データを埋め込んでなるものである。従って、デジタル音楽データが通信ネットワークを介して配信されたもの総てが配信用のデータであるとは限らない。
【００５１】
また、表２に示す第２，第３ビットのデータは２ビットでひとまとまりになっており、デジタル音楽データの複製に関して、３通りの制限を示している。
たとえば、第２，第３ビットのデータが「００」の場合、「Ｃｏｐｙ　Ｆｒｅｅ」すなわち複製について制限がないことを示している。また、第２，第３ビットのデータが「１０」の場合、「Ｏｎｅ　Ｇｅｎｅｒａｔｉｏｎ　Ｃｏｐｙ　Ｐｅｒｍｉｔｔｅｄ」すなわち一世代の複製のみ許諾されていることを示し、第２，第３ビットのデータが「１１」の場合は、「Ｎｏ　Ｍｏｒｅ　Ｃｏｐｙ」すなわち複製が禁止されていることを示している。
【００５２】
また、表２に示す第４ビットのデータは、デジタル音楽データが記録されているパッケージメディアの種類がディスクメディアか半導体メモリメディアかを識別させるためのデータであり、「０」であれば、ディスクメディアであることを示し、「１」であれば、半導体メモリメディアであることを示している。
【００５３】
また、表２に示す第５〜第８ビットのデータは４ビットでひとまとまりになっており、デジタル音楽データが記録されているパッケージメディアの内容が、第４ビットで示されたメディアの種類に続いて、そのメディアが再生型メディアか記録型メディアかを識別させるためのデータである。
例えば、第４ビットが「０」でディスクメディアを示し、第５〜第８ビットが「００００」の場合はＣＤ−ＲＯＭ（Ｃｏｍｐａｃｔ　Ｄｉｓｋ　Ｒｅａｄ　Ｏｎｌｙ　Ｍｅｍｏｒｙ）、「０００１」の場合はＣＤ−ＤＡ（Ｃｏｍｐａｃｔ　Ｄｉｓｃ　Ｄｉｇｉｔａｌ　Ａｕｄｉｏ）、「００１０」の場合はＣＤ−Ｒ（Ｃｏｍｐａｃｔ　Ｄｉｓｋ　Ｒｅｃｏｒｄａｂｌｅ）、「００１１」の場合はＣＤ−ＲＷ（Ｃｏｍｐａｃｔ　Ｄｉｓｋ　ＲｅＷｒｉｔａｂｌｅ）、「０１００」の場合はＤＶＤ−ＲＯＭ（Ｄｉｇｉｔａｌ　Ｖｅｒｓａｔｉｌｅ　Ｄｉｓｋ　Ｒｅａｄ　Ｏｎｌｙ　Ｍｅｍｏｒｙ）、「０１０１」の場合はＤＶＤ−Ｒ（Ｄｉｇｉｔａｌ　Ｖｅｒｓａｔｉｌｅ　Ｄｉｓｋ　Ｒｅｃｏｒｄａｂｌｅ）というように示すことが可能であり、４ビットでディスクメディアの内容を示すことにより、最大１６種類のディスクメディアを識別可能となる。
【００５４】
また、例えば、第４ビットが「１」で半導体メモリメディアを示し、第５〜第８ビットが「００００」の場合はＣＦ（ＣｏｍｐａｃｔＦｌａｓｈ）メモリ、「０００１」の場合はＳＤ（Ｓｅｃｕｒｅ　Ｄｉｇｉｔａｌ）メモリというように示すことが可能であり、４ビットで半導体メモリメディアの内容を示すことにより、最大１６種類の半導体メモリメディアを識別可能となる。
【００５５】
従って、たとえばＷＭ１データ「０１００００００」が埋め込まれたデジタル音楽データは、パッケージメディアに記録されていたデータであって、一世代のみデジタルデータとして複製することが可能なＣＤ−ＲＯＭであると識別することが可能になる。
このように、８ビットで構成されるＷＭ１データは、デジタル音楽データの出自と、該デジタル音楽データに関して定められたデジタルコピーの制限と、そのメディアの種類及び内容を示すデータである。
なお、ＷＭ１データの構成は、表２に示した８ビットに限定するものではなく、配信方法やメディアの更なる多様化に応じて、ビット数やデータ割り当て内容を適宜変更してもよいことは勿論である。
【００５６】
【表３】
2004005876.tif 000005
【００５７】
次いで、表３に示すように、１７ビットで構成されるＷＭ２データは、先頭から「第１〜第８ビット」と、「第９〜第１２ビット」と、「第１３〜第１７ビット」とに、データ内容を分けて識別するように構成されている。このＷＭ２データは、データ配信時の配信時刻やメディア記録時の記録時刻を時刻情報「年、月、日」として示すためのデータである。
【００５８】
第１〜第８ビットは、時刻情報のうち「年」を示すデータであり、８ビットで２５６年分の年データを設定可能である。これは現在著作権の権利の有効期間が将来に渡ってそれ以上の期間にならないことを考慮したものである。
第９〜第１２ビットは、時刻情報のうち「月」を示すデータであり、４ビットで１月〜１２月を設定可能である。また、第１３〜第１７ビットは、時刻情報のうち「日付」を示すデータであり、５ビットで１日〜３１日を設定可能である。これらのデータはＢＣＤコードで表現することも可能であり、その場合ビット数が異なることは当然である。
【００５９】
なお、本実施の形態では、デジタル音楽データにＷＭ２データを記録するタイミングとして、データの配信時に記録する場合と、パッケージメディアの製造時に記録する場合と、データ再生装置１においてパッケージメディアから読み出したデジタル音楽データの再生データに付加して出力する場合について、後述する動作説明において詳述する。
また、ＷＭ２データの構成は、表３に示した１７ビットに限定するものではなく、デジタル音楽データの利用形態の更なる多様化に応じて、ビット数やデータ割り当て内容を適宜変更してもよいことは勿論であり、例えば、時分秒の時刻情報を追加するようにしてもよい。
【００６０】
なお、ＷＭ１，ＷＭ２データは、いわゆる「Ｄｉｇｉｔａｌ　Ｗａｔｅｒ　Ｍａｒｋ（電子透かし）」技術によってデジタル音楽データに埋め込まれるものであり、一般消費者による記録や改変が不可能なように記録されるものである。このＤｉｇｉｔａｌ　Ｗａｔｅｒ　Ｍａｒｋのデジタル音楽データへの記録技術については、既に一般に利用されているものを適用することが可能である。
【００６１】
そして、放送メディアやコンテンツ配信メディア等により正規に配信されるデジタル音楽データには、第１ビットに「１」のデータを設定し、第２，第３ビットに著作権者の意向に基づくデータを設定し、当該配信用データがオリジナルデータが記録されたディスクメディアや半導体メモリメディアからの利用である場合に、第４〜第８ビットに対応するデータを設定したＷＭ１データが埋め込まれ、その配信時刻を示す時刻情報が設定されたＷＭ２データが埋め込まれた上で、放送局やネットワーク、及び対応する受信装置を介してデータ再生装置１やデータ録音装置２に配信される。
【００６２】
また、パッケージメディアに記録されて正規に流通されるデジタル音楽データには、第１ビットに「０」のデータを設定し、第２から第８ビットに著作権者の意向に基づくデータを設定し、データ再生装置１における再生処理と、データ録音装置２における記録処理が制御可能なように設定される。
【００６３】
図１に示すように、データ再生装置１は、ディスクメディア読取部１０１、半導体メモリメディア読取部１０２、メディア判定部１０３、ＷＭ１検出部１０４、ＷＭ２検出部１０５、再生制御部１０６、ＷＭ２付加部１０７、タイムコード発生器１０８、及びＤＡコンバータ１０９により構成される。
【００６４】
ディスクメディア読取部１０１は、デジタル音楽データが記録されたディスクメディア（各種ＣＤや各種ＤＶＤ等）からデジタル音楽データを読み取り、その読み取ったデジタル音楽データをメディア判定部１０３及びＷＭ１検出部１０４に出力する。
【００６５】
半導体メモリメディア読取部１０２は、デジタル音楽データが記録された半導体メモリメディア（ＣＦメモリやＳＤメモリ等の各種メモリカード）からデジタル音楽データを読み取り、その読み取ったデジタル音楽データをメディア判定部１０３及びＷＭ１検出部１０４に出力する。
【００６６】
メディア判定部１０３は、ディスクメディア読取部１０１及び半導体メモリメディア読取部１０２から入力されたデジタル音楽データにＷＭ１データが付加されている場合、そのＷＭ１データの設定内容を解析し、デジタル音楽データが記録されたディスクメディアあるいは半導体メモリメディアが、再生型メディアか、記録型メディアかを判定し、そのメディア判定結果を再生制御部１０６に出力する。
【００６７】
ＷＭ１検出部１０４は、ディスクメディア読取部１０１及び半導体メモリメディア読取部１０２から入力されたデジタル音楽データからＷＭ１データを検出し、そのＷＭ１データ検出結果を再生制御部１０６に出力するとともに、その検出処理後のデジタル音楽データをＷＭ２検出部１０５に出力する。
【００６８】
ＷＭ２検出部１０５は、ＷＭ１検出部１０４から入力されたデジタル音楽データからＷＭ２データを検出し、そのＷＭ２データ検出結果を再生制御部１０６に出力するとともに、その検出処理後のデジタル音楽データをＷＭ２付加部１０７に出力する。
【００６９】
再生制御部１０６は、メディア判定部１０３から入力されるメディア判定結果と、ＷＭ１検出部１０４から入力されるＷＭ１データ検出結果と、ＷＭ２検出部１０５から入力されるＷＭ２データ検出結果とに基づいて、後述するデータ再生処理１（図３参照）、及びデータ再生処理２（図４参照）を実行する。
【００７０】
図３のデータ再生処理１において、ディスクメディア読取部１０１によりディスクメディアから読み取られたデータ、又は半導体メモリメディア読取部１０２により半導体メモリメディアから読み取られたデータから、ＷＭ１検出部１０４によりＷＭ１データが検出されない場合、本発明による著作権保護は必要無いコンテンツであるので、読み取られたデジタル音楽データを復号化して再生し、そのデジタル再生信号をデジタル出力端子Ｔ１、あるいはアナログ変換後のアナログ再生信号をアナログ出力端子Ｔ２から出力する。
【００７１】
また、読み取りデータからＷＭ１データが検出され、その第２、第３ビットが「１０」の第一世代記録可能を示して、更にメディア判定部１０３で検出された内容が記録型メディアである場合、更に、ＷＭ２検出部１０５によりＷＭ２データが検出された場合、一度正規に録音されたコンテンツであることが判別できるので、再生制御部１０６は、読み取られたデジタル音楽データを排除すること無く復号化して再生し、記録されているＷＭ２データを含むデジタル再生信号をそのままデジタル出力端子Ｔ１、あるいはアナログ変換後のアナログ再生信号をアナログ出力端子Ｔ２から出力する。
【００７２】
また、読み取りデータからＷＭ１データが検出され、その第２、第３ビットが「１０」の第一世代記録可能を示して、更にメディア判定部１０３で検出された内容が再生型メディアであって、更に、ＷＭ２検出部１０５によりＷＭ２データが検出されない場合、正規の本発明に対応した著作権保護を主張している市販コンテンツであると判定出来るので、再生制御部１０６は、タイムコード発生器１０８から発生されるタイムコードを、読み取られたデジタル音楽データを復号化して再生したデジタル再生信号に新ＷＭ２データとして追加し、その新ＷＭ２データを追加したデジタル再生信号をデジタル出力端子Ｔ１、あるいはアナログ変換後のアナログ再生信号をアナログ出力端子Ｔ２から出力する。
【００７３】
また、読み取りデータからＷＭ１データが検出され、メディア判定部１０３により記録可能メディアであると検出され、ＷＭ２検出部１０５によりＷＭ２データが検出されない場合、再生制御部１０６は、違法録音メディアであると判断して、読み取られたデジタル音楽データの再生を中止する。
【００７４】
また、読み取りデータからＷＭ１データが検出され、メディア判定部１０３により再生型メディアであると検出された場合、オリジナルの市販ディスクで録音保護を要求しているディスクであると判断して、再生制御部１０６は、タイムコード発生器１０８から発生されるタイムコードを、読み取られたデジタル音楽データを復号化して再生したデジタル再生信号に新ＷＭ２データとして追加し、その新ＷＭ２データを追加したデジタル再生信号をデジタル出力端子Ｔ１、あるいはアナログ変換後のアナログ再生信号のみをアナログ出力端子Ｔ２から出力する。
【００７５】
ＷＭ２付加部１０７は、再生制御部１０５から入力されるＷＭ２データの付加指示に応じて、ＷＭ２検出部１０５から入力されたＷＭ２データ検出処理後のデジタル音楽データに、タイムコード発生器１０８から入力されるタイムコード（表３のビット構成参照）を新ＷＭ２データとして追加して、ＤＡコンバータ１０８及びデジタル端子Ｔ１に出力する。
【００７６】
タイムコード発生器１０８は、年月日を計時し、その計時した時刻情報をタイムコード（表３のビット構成参照）としてＷＭ２付加部１０７に出力する。ＤＡコンバータ１０９は、ＷＭ２付加部１０７から入力されたデジタル音楽データをアナログ変換し、アナログ再生信号をアナログ出力端子Ｔ２に出力する。
【００７７】
図２に示すように、データ録音装置２は、ＷＭ１検出部２０１、ＷＭ２検出部２０２、タイムコード比較部２０３、タイムコード発生部２０４、録音制御部２０６、ディスクメディア記録部２１０及び半導体メモリメディア記録部２１１により構成される。
【００７８】
ＷＭ１検出部２０１は、図示しないアナログ入力端子から入力されるアナログ音楽信号をデジタル化し、そのデジタル音楽データからＷＭ１データを検出し、又は図示しないデジタル入力端子から入力されるデジタル音楽データからＷＭ１データを検出し、そのＷＭ１データ検出結果を録音制御部２０６に出力するとともに、その検出処理後のデジタル音楽データをＷＭ２検出部２０２に出力する。
【００７９】
ＷＭ２検出部２０２は、ＷＭ１検出部２０１から入力されたデジタル音楽データからＷＭ２データを検出し、そのＷＭ２データ検出結果を録音制御部２０６及びタイムコード比較部２０３に出力し、その検出処理後のデジタル音楽データをディスクメディア記録部２１０及び半導体メモリメディア記録部２１１に出力する。
【００８０】
タイムコード比較部２０３は、ＷＭ２検出部２０２から入力されたＷＭ２データに含まれたタイムコードと、タイムコード発生部２０４から入力されたタイムコードとが一致するか否かを比較し、その比較結果を録音制御部２０６に出力する。
【００８１】
タイムコード発生部２０４は、年月日を計時し、その計時した時刻情報をタイムコード（表３のビット構成参照）としてタイムコード比較部２０３、録音制御部２０６に出力する。
【００８２】
録音制御部２０６は、ＷＭ１検出部２０１から入力されるＷＭ１データ検出結果と、ＷＭ２検出部２０２から入力されるＷＭ２データ検出結果と、タイムコード比較部２０３から入力されるタイムコード比較結果とに基づいて後述するデータ録音処理（図５参照）を実行して、ディスクメディア記録部２１０及び半導体メモリメディア記録部２１１におけるディスクメディア及び半導体メモリメディアへのデジタル音楽データの録音を制御する。
【００８３】
録音制御部２０６は、ＷＭ１検出部２０１によりＷＭ１データが検出されない場合、コピーフリーであると判断し、そのデジタル音楽データをそのままディスクメディア記録部２１０によりディスクメディアに録音させ、又は半導体メモリメディア記録部２１１により半導体メモリメディアに録音させる。
【００８４】
また、録音制御部２０６は、ＷＭ１検出部２０１によりＷＭ１データが検出され、ＷＭ２検出部２０２によりＷＭ２データが検出され、タイムコード比較部２０３によるタイムコード（年月日データ）の比較結果が現在時刻と一致していた場合、そのデジタル音楽データがオリジナルの市販ディスクが再生されているものと判断し、そのままディスクメディア記録部２１０によりディスクメディアに録音させ、又は半導体メモリメディア記録部２１１により半導体メモリメディアに録音させる。
【００８５】
また、録音制御部２０６は、ＷＭ１検出部２０１によりＷＭ１データが検出され、ＷＭ２検出部２０２によりＷＭ２データが検出され、タイムコード比較部２０３によるタイムコード（年月日データ）の比較結果が現在時刻と不一致の場合、既に録音されたコンテンツの出力であると判断して、入力されたデジタル音楽データの録音を禁止する。
【００８６】
また、録音制御部２０６は、ＷＭ１検出部２０１によりＷＭ１データが検出され、ＷＭ２検出部２０２によりＷＭ２データが検出されない場合、本発明の保護システムに対応していない装置で再生されているか、本発明の保護システムに対応していない装置で記録されたデジタル音楽データであると判断して、入力されたデジタル音楽データの録音を禁止する。
【００８７】
ディスクメディア記録部２１０は、録音制御部２０６から入力される録音制御信号に従って、ＷＭ２検出部２０２から入力されたデジタル音楽データをディスクメディアに記録する。
【００８８】
半導体メモリメディア記録部２１１は、録音制御部２０６から入力される録音制御信号に従って、ＷＭ２検出部２０２から入力されたデジタル音楽データを半導体メモリメディアに記録する。
【００８９】
次に、本実施の形態の動作を説明する。
まず、データ再生装置１の再生制御部１０６により実行されるデータ再生処理１について図３に示すフローチャートに基づいて説明する。
このデータ再生処理１において、再生制御部１０６は、メディア判定結果に基づく違法記録メディアの判断を行わない場合の例で、検出されたＷＭ１データ及びＷＭ２データに基づいて、ディスクメディアあるいは半導体メモリメディアから読み取られたデジタル音楽データの再生制御を実行する。
【００９０】
図３において、再生制御部１０６は、まず、ディスクメディア読取部１０１によりディスクメディアから読み取られたデータ、又は半導体メモリメディア読取部１０２により半導体メモリメディアから読み取られたデータから、ＷＭ１検出部１０４によりＷＭ１データが検出されたか否かを判別する（ステップＳ１，Ｓ２）。
【００９１】
ＷＭ１検出部１０４によりＷＭ１データが検出されない場合、再生制御部１０６は、読み取られたデジタル音楽データを復号化して再生し、そのデジタル再生信号のみをデジタル出力端子Ｔ１、あるいはアナログ変換後のアナログ再生信号のみをアナログ出力端子Ｔ２から出力する（ステップＳ４，Ｓ５）。
【００９２】
また、読み取りデータからＷＭ１データが検出されると、再生制御部１０６は、更に、ＷＭ２検出部１０５によりＷＭ２データが検出されたか否かを判別する（ステップＳ３）。
ＷＭ２検出部１０５によりＷＭ２データが検出された場合、再生制御部１０６は、読み取られたデジタル音楽データを復号化して再生し、そのデジタル再生信号のみをデジタル出力端子Ｔ１、あるいはアナログ変換後のアナログ再生信号のみをアナログ出力端子Ｔ２から出力する（ステップＳ４，Ｓ５）。
【００９３】
また、読み取りデータからＷＭ１データが検出され、更に、ＷＭ２検出部１０５によりＷＭ２データが検出されない場合、再生制御部１０６は、タイムコード発生器１０８から発生されるタイムコードを、読み取られたデジタル音楽データを復号化して再生したデジタル再生信号に、ＷＭ２付加部２０６により新ＷＭ２データとして追加し（ステップＳ６，Ｓ７）、その新ＷＭ２データを追加したデジタル再生信号のみをデジタル出力端子Ｔ１、あるいはアナログ変換後のアナログ再生信号のみをアナログ出力端子Ｔ２から出力する（ステップＳ８）。
【００９４】
次に、データ再生装置１の再生制御部１０６により実行されるデータ再生処理２について図４に示すフローチャートに基づいて説明する。
このデータ再生処理２において、再生制御部１０６は、メディア判定結果と、検出されたＷＭ１データ及びＷＭ２データとから、再生するメディアが本発明の保護システムに対応している記録メディアであるか判定するとともに、再生データにＷＭ２を付加するかどうかの判断結果に基づいて、ディスクメディアあるいは半導体メモリメディアから読み取られたデジタル音楽データの再生制御を実行する。
【００９５】
図４において、再生制御部１０６は、まず、ディスクメディア読取部１０１によりディスクメディアから読み取られたデータ、又は半導体メモリメディア読取部１０２により半導体メモリメディアから読み取られたデータから、ＷＭ１検出部１０４によりＷＭ１データが検出されたか否かを判別する（ステップＳ１０１，Ｓ１０２）。
【００９６】
ＷＭ１検出部１０４によりＷＭ１データが検出されない場合、再生制御部１０６は著作権の保護を要求していないコンテンツであると判断し、読み取られたデジタル音楽データを復号化して再生し、そのデジタル再生信号をデジタル出力端子Ｔ１、あるいはアナログ変換後のアナログ再生信号をアナログ出力端子Ｔ２から出力する（ステップＳ１０５，Ｓ１０６）。
【００９７】
また、読み取りデータからＷＭ１データが検出されると、再生制御部１０６は、更に、メディア判定部１０３により記録型メディアであるかどうかを判別する（ステップＳ１０３）。記録型メディアであると判定されると、再生制御部１０６は、更に、ＷＭ２検出部１０５によりＷＭ２データが検出されたか否かを判別する（ステップＳ１０４）。
【００９８】
ＷＭ２データが検出されると、再生制御部１０６は、正規記録メディアであると判断して、読み取られたデジタル音楽データを復号化して再生し、そのデジタル再生信号をデジタル出力端子Ｔ１、あるいはアナログ変換後のアナログ再生信号をアナログ出力端子Ｔ２から出力する（ステップＳ１０５，Ｓ１０６）。
【００９９】
また、読み取りデータからＷＭ１データが検出され、メディア判定部１０３により記録型メディアであると判定され、ＷＭ２検出部１０５によりＷＭ２データが検出されない場合（ステップＳ１０２，Ｓ１０３，Ｓ１０４）、再生制御部１０６は、違法記録メディアであると判断して、読み取られたデジタル音楽データの再生を中止する（ステップＳ１０７）。
【０１００】
また、読み取りデータからＷＭ１データが検出され、メディア判定部１０３により再生メディアであると検出された場合（ステップＳ１０２，Ｓ１０３）、再生制御部１０６は、タイムコード発生器１０８から発生されるタイムコードを、読み取られたデジタル音楽データを復号化して再生したデジタル再生信号に新ＷＭ２データとして追加し（ステップＳ１０８，Ｓ１０９）、その新ＷＭ２データを追加したデジタル再生信号をデジタル出力端子Ｔ１、あるいはアナログ変換後のアナログ再生信号をアナログ出力端子Ｔ２から出力する（ステップＳ１１０）。
【０１０１】
以上のように、本実施の形態では、入力されるデジタル音楽データに埋め込めこむため２種類のＷＭ（Ｗａｔｅｒｍａｒｋ）データとしてＷＭ１データとＷＭ２データを用意し、８ビット構成のＷＭ１データには、パッケージメディアデータか配信用データかを設定し、ＳＣＭＳ情報を設定し、ディスクメディアか半導体メモリメディアかを設定し、更にそのディスクメディアの種類、及び半導体メモリメディアの種類を設定し、１７ビット構成のＷＭ２データには、配信時刻あるいは記録時刻を示す時刻情報として年月日を設定した。
【０１０２】
そして、データ再生装置１では、ＷＭ１データ及びＷＭ２データに基づいて、ディスクメディア及び半導体メモリメディアに記録されたデジタル録音データの再生制御を行うようにしたため、例えば、以下のようなパッケージメディアに関する条件▲１▼〜▲４▼に対応して、その各メディアに録音されたデジタル音楽データを、著作権者の意図に応じて最適な再生制御を実行できる。
【０１０３】
条件▲１▼：オリジナルの著作権保護を必要とする市販コンテンツ。
このコンテンツはＷＭ１データが付加されていて、ＷＭ２データは付加されていないものである。
この場合、データ再生装置１では、メディアから読み取られたデジタル音楽データが復号化されて再生され、その再生データにタイムコードを設定した新ＷＭ２データを追加して出力される。
したがって、市販メディアの再生に対応しながら、その出力先に対してはＷＭ２データを新たに追加して出力するため、出力先が如何なるデータ録音装置であっても、その録音されたメディアにはＷＭ２が音楽データと共に記録される。この為一度記録されたメディアにはその記録時の時刻がＷＭ２として記録される。
するとその一度記録されたメディアが再生されて再度録音しようとすると、本発明の保護システムに対応した録音機の場合、ＷＭ２の存在で入力データは既に一度記録されたコンテンツであると判定出来るので、当該オリジナルの著作権保護を必要とする市販コンテンツの２回以上のコピーは制限できる。
【０１０４】
条件▲２▼：本発明の保護システムに対応して正規に録音されたメディアでは、ＷＭ１データが付加されていて、更にＷＭ２データが付加されている。
この場合、データ再生装置１では、本発明の保護システムに対応して録音された録音メディアから読み取られたデジタル音楽データが復号化されて、ＷＭ２の変更や新たな付加は行わずそのまま再生される。
したがって、本発明の保護システムに対応した録音メディアの再生に対応しながら、出力先が本発明の保護システムに対応したデータ録音装置である場合、ＷＭ２の存在で既に一度録音されたコンテンツの再生データであることが判断出来るので、当該再生データの２回目のコピーを制限できる。
【０１０５】
条件▲３▼：本発明の保護システムに対応していない装置で録音されたメディアの場合、ＷＭ１データ付加は有るが、記録型メディアにもかかわらずＷＭ２データ付加なしのものである。
この場合、データ再生装置１では、本発明の保護システムに対応していない装置で録音されたメディアから読み取られたデジタル音楽データの再生は中止される。
したがって、本発明の保護システムに対応していない装置で録音されたメディアに対応して再生を制限できる。
【０１０６】
条件▲４▼：コピーフリーメディアの場合は、ＷＭ１，ＷＭ２データは如何なる場合にも付加されない。
この場合、データ再生装置１では、メディアから読み取られたデジタル音楽データが復号化されて、そのまま再生される。
したがって、コピーフリーの再生メディアあるいは録音可能メディアに対応して再生できる。
【０１０７】
次に、データ録音装置２の録音制御部２０６において実行されるデータ録音処理について図５に示すフローチャートに基づいて説明する。
このデータ録音処理において、録音制御部２０６は、ＷＭ１検出部２０１から入力されるＷＭ１データ検出結果と、ＷＭ２検出部２０２から入力されるＷＭ２データ検出結果と、タイムコード比較部２０３から入力されるタイムコード比較結果と、相互認証／復号化部２０５から入力される相互認証結果と、に基づいてディスクメディア記録部２１０及び半導体メモリメディア記録部２１１におけるディスクメディア及び半導体メモリメディアへのデジタル音楽データの録音を制御する。
【０１０８】
図５において、録音制御部２０６は、まず、入力された音楽信号又はデジタル音楽データからＷＭ１検出部２０１によりＷＭ１データ検出結果が入力される（ステップＳ２０１）。
【０１０９】
録音制御部２０６は、ＷＭ１検出部２０１によりＷＭ１データが検出されたか否かを判別する（ステップＳ２０２）。ＷＭ１データが検出されない場合、録音制御部２０６は、コピーフリーであると判断し、そのデジタル音楽データをそのままディスクメディア記録部２１０によりディスクメディアに記録させ、又は半導体メモリメディア記録部２１１により半導体メモリメディアに記録させる（ステップＳ２０５）。
【０１１０】
また、録音制御部２０６は、ＷＭ１検出部２０１によりＷＭ１データが検出された場合（ステップＳ２０２）、更に、ＷＭ２検出部２０２によりＷＭ２データが検出されたか否かを判別する（ステップＳ２０３）。
【０１１１】
ＷＭ２データが検出された場合、録音制御部２０６は、タイムコード比較部２０３によるタイムコード比較結果（タイムコード発生部２０３から発生された現在時刻のタイムコード（年月日データ）と、検出されたＷＭ２データに含まれたタイムコード（年月日データ）との比較結果）が一致か不一致かを確認する（ステップＳ２０４）。ＷＭ２データが現在時刻と一致していた場合、入力されている音楽信号が市販オリジナルディスクを現時点で本発明の保護システムに対応した再生装置で再生しているものと判断出来るので、録音制御部２０６は、そのデジタル音楽データを現在の時刻を示すＷＭ２とともに、そのままディスクメディア記録部２１０によりディスクメディアに録音させ、又は半導体メモリメディア記録部２１１におより半導体メモリメディアに録音させる（ステップＳ２０５）。
【０１１２】
また、録音制御部２０６は、ＷＭ１検出部２０１によりＷＭ１データが検出され（ステップＳ２０２）、ＷＭ２検出部２０２によりＷＭ２データが検出され（ステップＳ２０３）、タイムコード比較部２０３によるタイムコード（年月日データ）の比較結果が現在時刻と不一致の場合（ステップＳ２０４）、既に以前に記録されたコンテンツかネットワーク配信されたコンテンツであることが判断出来るので、許諾されていない録音を行わない様に入力されたデジタル音楽データの録音を禁止する（ステップＳ２０６）。
【０１１３】
また、録音制御部２０６は、ＷＭ１検出部２０１によりＷＭ１データが検出され（ステップＳ２０２）、ＷＭ２検出部２０２によりＷＭ２データが検出されない場合（ステップＳ２０３）、本発明の保護システムに対応していない再生装置からの信号と判断出来るので、コンテンツの保護の為に入力されたデジタル音楽データの録音を中止する（ステップＳ２０６）。
【０１１４】
以上のように、本実施の形態のデータ録音装置２の録音制御部２０６は、ＷＭ１検出部２０１から入力されるＷＭ１データ検出結果と、ＷＭ２検出部２０２から入力されるＷＭ２データ検出結果と、タイムコード比較部２０３から入力されるタイムコード比較結果に基づいてディスクメディア記録部２１０及び半導体メモリメディア記録部２１１におけるディスクメディア及び半導体メモリメディアへのデジタル音楽データの録音を制御するようにしたため、例えば、以下のようなパッケージメディアに関する条件Ｐ▲１▼〜Ｐ▲４▼及び放送配信メディアに関する条件Ｎ▲１▼〜Ｎ▲２▼に対応して、その各メディアから入力された音楽信号、又はデジタル音楽データを、著作権者の意図に応じて最適な録音制御を実行できる。
【０１１５】
条件Ｐ▲１▼：正規のデータ再生装置によりオリジナル市販メディアから再生されたデジタル音楽データ又は音楽信号の場合、ＷＭ１データと、ＷＭ２データが付加されている。（ＷＭ２は再生中の時刻＝現在の時刻）
この信号が入力された場合、データ録音装置２は、本発明の保護システムに対応したデータと判断して入力されたデジタル音楽データ又は音楽信号が符号化されて、そのままディスクメディア又は半導体メモリメディアに録音される。
したがって、オリジナル録音メディアに対応して、当該再生信号の第１世代記録を実行でき、この後の第２世代違法コピーを制限できる。
【０１１６】
条件Ｐ▲２▼：本発明の保護システムに対応したデータ再生装置により市販オリジナルメディアが本発明の保護システムに対応して録音されたメディアを再生する場合、再生されるデジタル音楽データ又は音楽信号には、ＷＭ１データと、ＷＭ２データが付加されている。ただし、この場合ＷＭ２のデータは、過去の時刻を示していて、現在時刻と一致しない。
この様な信号が入力された場合、データ録音装置２は、この入力信号を既に第１世代録音されたものであるかネットワーク配信されたコンテンツと判断出来るため、権利者側がこれらを排除したいと希望すれば、これらは該当録音機による録音を中止することが可能になる。
【０１１７】
条件Ｐ▲３▼：本発明の保護システムに対応しないデータ再生装置により再生されたデジタル音楽データ又は音楽信号には、ＷＭ１データ付加はあっても、ＷＭ２データが付加されない。
この様な信号が入力された場合、データ録音装置２では、本発明の保護システムに対応していない再生装置からの入力と判断出来るので、著作権の保護の為に入力されるデジタル音楽データ又は音楽信号の録音は中止する。
したがって、本発明の保護システムを著作権の権利者が採用した場合、権利を無視した再生装置の使用を制限することが可能となる。
【０１１８】
条件Ｐ▲４▼：コピーフリーメディアが再生される場合、ＷＭ１，ＷＭ２データは付加されない。
この様な信号が入力された場合、データ録音装置２では、入力されるデジタル音楽データ又は音楽信号は、そのまま録音される。
したがって、コピーフリーのコンテンツは自由に再生出来るだけでなく自由に録音が可能となる。
【０１１９】
条件Ｎ▲１▼：著作権保護を求める放送コンテンツにはＷＭ１及び放送時刻を示すＷＭ２のデータが付加されている。これをチューナーで受信すると、その出力には、ＷＭ１データと、ＷＭ２データが付加されてくる。（現在の時刻情報）
条件Ｎ▲２▼：コピーの制限無しにコンテンツを放送する場合、ＷＭ１及びＷＭ２は付加しないで放送される。これを受信するチューナーの出力には当然ＷＭ１，ＷＭ２データは付加されていない。
上記条件Ｎ▲１▼は、本発明の保護システムに対応した再生装置が市販オリジナルメディアを再生した場合の出力に相当する。上記条件Ｎ▲２▼は、コピーフリーのコンテンツを再生した場合に相当する。
この為、本発明の保護システムに対応する録音装置ではタイムシフトの為の録音は可能とする一方、そのデータを再度録音する第二世代の録音は防止できる。
【０１２０】
なお、上記実施の形態に示したタイムコード発生器１０８は、データ再生装置１の製造時にのみ計時時刻を設定可能に構成するようにしても良い。また、タイムコード発生器１０８は、世界標準時を計時して、タイムコードを発生するように構成しても良い。また、タイムコード発生器１０８では、年月日を計時していたが、更に時分秒まで計時するように構成しても良い。
【０１２１】
また、上記実施の形態に示したタイムコード発生部２０４は、データ録音装置２製造時にのみ計時時刻を設定可能に構成するようにしても良い。また、タイムコード発生部２０４は、世界標準時を計時して、タイムコードを発生するように構成しても良い。また、タイムコード発生部２０４では、年月日を計時していたが、更に時分秒まで計時するように構成しても良い。
【０１２２】
更に、タイムコード発生器１０８及びタイムコード発生部２０４は、ユーザーが設定出来る様にした場合には、計時時刻の設定可能回数に制限を設けるようにしても良い。
【０１２３】
更に、ＷＭ２付加部１０７では、タイムコード発生器１０８から入力される年月日及び時分秒を含むタイムコードをＷＭ２データとして付加するようにしてもよい。さらに、ＷＭ２付加部２０８では、タイムコード発生部２０４から入力される年月日及び時分秒を含むタイムコードをＷＭ２データとして付加するようにしてもよい。
尚、コンテンツを放送若しくは配信する場合の制御については、例えば上述の図３のフローチャートに則った制御を行えばよく、放送若しくは配信されるコンテンツに対して、ＷＭ２データが付加されて放送，配信される。つまり、コンテンツの提供者が提供のタイミングに合わせてＷＭ２データを付加する場合、放送，配信業者はそのまま再生を行えばよく、また、ＷＭ２データの付加が放送，配信業者に委ねられている場合、放送，配信のタイミングで放送，配信業者がＷＭ２データを付加する。これによって、放送，配信を直接受信する端末は計時手段の時間情報とＷＭ２データの一致からコンテンツを録音可能とすることができる。また、受信したコンテンツを再配信した場合、この再配信されたコンテンツを受信する端末では、コンテンツに含まれるＷＭ２データと計時手段で計時する時間情報の不一致から当該コンテンツデータを録音することができない。これによって、コピーが無尽蔵になされることが防止される。
【０１２４】
【発明の効果】
本発明によれば、再生されたコンテンツにはその再生時刻が書き込まれる。個人がそれを直接録音装置で録音しようとした場合、本発明では従来通り録音が可能となる。（第一世代の録音として）
しかし、その再生されたコンテンツをネットワーク配信する場合、例えば、ＰＣのＨＤＤへ一度記録し、そのデータをホームページかＦＴＰサイトにアップロードしたとすると、このデータをダウンロードして録音しようとした場合、この時刻はデータが再生された時刻とかなり異なった時間となっているはずである。そうなると、本発明では、ＷＭ２のタイムコードが録音する時刻と異なるので、自動的に録音が禁止される。つまりネットワーク配信データが丁度１世代録音済みのデータと同じになり、これは第２世代目の録音を防止する機能により排除されることになる。
この為、このようなデータの録音を禁止することにより、実質的にネットワークによる違法配信を防止可能となる。
これは如何なるデータもネットワークで配信されても全く変わらないが、その処理される時刻だけが異なることを利用してなされたものである。
【図面の簡単な説明】
【図１】本発明を適用した一実施の形態におけるデータ再生装置１の構成を示すブロック図である。
【図２】本発明を適用した一実施の形態におけるデータ録音装置２の構成を示すブロック図である。
【図３】図１の再生制御部１０６により実行されるデータ再生処理１を示すフローチャートである。
【図４】図１の再生制御部１０６により実行されるデータ再生処理２を示すフローチャートである。
【図５】図２の録音制御部２０６により実行されるデータ録音処理を示すフローチャートである。
【符号の説明】
１　　　データ再生装置
２　　　データ録音装置
１０１　ディスクメディア読取部
１０２　半導体メモリメディア読取部
１０３　メディア判別部
１０４　ＷＭ１検出部
１０５　ＷＭ２検出部
１０６　再生制御部
１０７　ＷＭ２付加部
１０８　タイムコード発生器
１０９　ＤＡコンバータ
２０１　ＷＭ１検出部
２０２　ＷＭ２検出部
２０３　タイムコード比較部
２０４　タイムコード発生部
２０６　再生制御部
２１０　ディスクメディア記録部
２１１　半導体メモリメディア記録部
【図１】
2004005876.tif 000006
【図２】
2004005876.tif 000007
【図３】
2004005876.tif 000008
【図４】
2004005876.tif 000009
【図５】
2004005876.tif 000010